(57)【要約】【課題】  メガネフレームのツルを着脱自在としたツル取付け構造の提供。【解決手段】  フロント部１の両側に設けたヨロイ８，８には蝶番４，４を介して取付け部３，３を折畳み可能に連結し、この取付け部３，３に板バネ１０，１０・・を介してツル２，２を着脱自在に取付けている。【選択図】    図１
2009151134.tif 000002
【特許請求の範囲】
【請求項１】
メガネフレームのツル取付け構造において、フロント部の両側には継手を介して取付け部を折畳み可能に連結し、この取付け部に板バネを介してツルを着脱自在に取付けたことを特徴とするメガネフレームのツル取付け構造。
【請求項２】
メガネフレームのツル取付け構造において、フロント部の両側に設けたヨロイには蝶番などの継手を介して取付け部を折畳み可能に連結し、該取付け部は中央凸部の上側と下側に挟持部を設け、底面のヨロイ側を切欠いて切欠き空間を形成した形状とし、ツルの内側端部にはツルに沿って延びると共に先端に係止部を形成した２枚の板バネを所定の間隔をおいて取着し、上記取付け部の挟持部に板バネを掛けてツル内面と該板バネとで挟み込み、板バネの基部を上記切欠き空間に嵌めると共に先端係止部を縁に係止することで、ツルを着脱自在に取付けたことを特徴とするメガネフレームのツル取付け構造。
【発明の詳細な説明】
【技術分野】
【０００１】
本発明はメガネフレームのツルを着脱可能に取付けることが出来る取付け構造に関するものである。
【背景技術】
【０００２】
メガネフレームはフロント部と２本のツルで構成され、ツルはフロント部の両側に蝶番などの継手を介して折畳み出来るように取付けられている。そして、フロント部にはレンズが嵌る概略楕円形のリムを有し、リムは連結部材にて左右対称に繋がれ、リム外側にはツルが連結するヨロイを設けている。樹脂製のメガネフレームの場合には、上記フロント部はリム、連結部、及びヨロイ部が一体的に成形される。
【０００３】
ところで、上記ツルはフロント部の両側に設けているヨロイと継手を介して連結しているが、該継手とは固定されている為に、ツルをフロント部から分離することは出来ない。メガネは顔に掛けるものであることからファッション性が求められ、色々なデザインが施されている。例えば、カラーメッキ、塗装は一般的であるが、宝石を取付けたり、表面を印刷することもある。
【０００４】
近年のメガネフレームはバネ性に優れた細い線材で構成される場合も多いが、このように細い線材で構成されるメガネフレームは、重量が軽いと共にスリムなデザインを形成することが出来る。ところで、フロント部のリムにはレンズが嵌ることで装飾できる領域は極限られてしまうことから、一般にはツルに装飾される場合が多い。
【０００５】
特開２００２−１８２１６９に係る「メガネの装飾部品及び装飾部品の取付け構造」は、出願人である株式会社エクセル眼鏡が以前に出願したものであり、別の装飾部品に交換することが出来ると共に、取外した場合には跡が残らないようにしている。該装飾部品の裏側には２本の脚を平行に設け、両脚の内側は段差を形成すると共に、幅広の空間と幅の狭い空間を設け、ツルに取付ける際には幅広空間にはツルが嵌り、幅の狭い空間には蝶番のツル側蝶片が嵌ることが出来る。
【０００６】
特開２００１−２４２４２６号に係る「メガネのツルに取付ける装飾部品」は、メガネのツルに取付けることが出来る装飾部品であって、取付け・取外しを簡単に行うことが出来るように構成している。そこで、適当な形状に象った装飾品の裏側には１個ないし２個の止着具を設け、この止着具はバネ材で構成されてＬ型を成すと共に先端に係止部を形成し、ツルには止着具を係止して取り付けることが出来る。
【特許文献１】特開２００２−１８２１６９に係る「メガネの装飾部品及び装飾部品の取付け構造」
【特許文献２】特開２００１−２４２４２６号に係る「メガネのツルに取付ける装飾部品」
【発明の開示】
【発明が解決しようとする課題】
【０００７】
このように、メガネフレームのツルを装飾する場合は多く、独立した装飾部品を該ツルに取付け、又取外し可能とする取付け構造は知られている。別の装飾部品をツルに取付ける場合、装飾部品はツルと完全に融合することは出来ず、ツル自体のバランスが崩れ、ひいてはメガネフレームとしての装飾性が低下する。本発明が解決しようとする課題はこの問題点であり、ツル自体を装飾すると共に該ツルをフロント部から取外し可能としたメガネフレームのツル取付け構造を提供する。
【課題を解決するための手段】
【０００８】
本発明に係るメガネフレームのツル取付け構造は、該ツルがフロント部から簡単に取外し出来るように構成している。そこで、フロント部の両側には取付け部を取付け、該取付け部は蝶番などの継手を介して折畳み出来る。ツル内側端部には板バネが取付けられて該ツルに沿って延び、板バネ先端には係止部を形成している。
【０００９】
ところで、上記取付け部がツル内面と板バネの間に嵌ることで、ツルは該取付け部に取付けられる。板バネは取付け部を挟み込むと共にバネ力が付勢される為に、ツルはガタ付くことなく安定して取付けられ、しかも先端に形成した係止部が取付け部の縁に係止することで外れることはない。ここで、取付け部の具体的な形状及び板バネの具体的な形状は限定しないことにし、取付け部を繋ぐ継手の形態も限定しない。
【発明の効果】
【００１０】
本発明ではツルを取付け部に取付けることが出来、又取外すことが出来る構造と成っている。従って、デザインを異にした複数本のツルを前以て準備しておき、好みに応じて選択することで、メガネフレームとしての外観が変わる。従来のような独立した装飾部品をツルに取付ける場合と異なり、ツル自体が装飾されている為にメガネフレームの装飾性は向上する。
【００１１】
そして、ツルは板バネを介して取付け部に取付けられるために、板バネのバネ力が付勢されて該ツルは安定した取付けが出来る。又、板バネはツル端の内側に設けられているために、外観上は普通のツル取付け構造と変わりなく、板バネによってメガネフレームの外観が損なわれることはない。
【実施例】
【００１２】
図１は本発明に係るツル取付け構造を備えたメガネフレームを示す実施例である。同図の１はフロント部、２はツル、３は取付け部を表し、取付け部３，３はフロント部１の両側に蝶番４，４を介して折畳み出来るように取付けられている。そして、上記ツル２，２はこの取付け部３，３と連結しており、取付け部３，３と共に折畳まれる。
【００１３】
上記フロント部１は従来のメガネフレームの場合と共通し、レンズ５，５が嵌るリム６，６は連結部材７を介して左右対称に設けられ、リム６，６の外側にはヨロイ８，８がロウ付けされている。又、リム６，６の内側であって連結部材７の下方には鼻当てパット９，９が対を成して取付けられている。ところで、ツル２が取付けられる取付け部３は概略長方形の板状体を成し、ヨロイ８と蝶番４を介して折畳み出来るように取付けられ、この取付け部３を板バネ１０によって挟み込んでツル２が連結している。
【００１４】
板バネ１０はツル２の内側端部に取着されると共に該ツル２に沿って延び、先端には係止部１１を屈曲して形成しており、上記取付け部３はツル内面と板バネ１０によって挟持されている。板バネ１０は取付け部３を挟み込むと共に、バネ力を付勢し、その為にガタ付くことなく挟持され、係止部１１が取付け部３の縁に係止することで板バネ１０が取付け部３から外れることはない。
【００１５】
図２はツル２を単独で表しているが、ツル内側端部に固定された板バネ１０は湾曲して先端方向へ延び、ツル内面との間に空間１２を形成している。又、ツル２の先端部には樹脂製のモダン１３を挿着している。ここで、本発明はツル自体の形態、材質を何ら限定するものではなく、内側端部には先端に係止部を形成した板バネ１０を備えていることが必要である。
【００１６】
図３は板バネ１０の具体例を示している。同図に示すように２枚の板バネ１０，１０が所定の間隔をおいて対を成して取付けられ、この２枚の板バネ１０，１０にて取付け部３が挟持される。図４は取付け部３を表しているが、該取付け部３には蝶番４を構成する片方の蝶片１４が取着され、そして、該取付け部３は中央凸部１６を挟んで上側と下側には挟持部１５，１５を有している。挟持部１５，１５の表面は中央凸部１６より低く成っていて、２枚の板バネ１０，１０は挟持部１５，１５を挟持することで、位置ズレしないようになる。
【００１７】
底面１７はツル内面に当接するが、該底面１７のヨロイ側には切欠き空間１８を形成し、この切欠き空間１８には板バネ１０の基部１９が嵌ることに成る。図５ではツル２を取付け部３に取付ける場合を表しているように、該取付け部３を内側へ折り畳んだ状態でツル２が取付けられる。
【００１８】
２枚の板バネ１０，１０の先端係止部１１，１１を取付け部３の挟持部１５，１５に沿ってスライドさせるならば、該板バネ１０，１０は適度に撓み変形して挟持部１５，１５を挟み込んで取付け部３に取付けられる。２枚の板バネ１０，１０は両挟持部１５，１５を挟み込むと共に、中央凸部１６も挟み込んだ状態と成り、しかも板バネ１０，１０のバネ力が付勢されることでツル２は安定する。
【００１９】
図６はツル２を取付けた状態を表している。同図に示すように、板バネ１０とツル２の間に取付け部３が挟まれ、係止部１１は取付け部３の先端縁に係止している。従って、板バネ１０が撓み変形しない限り取付け部３から離脱することはない。勿論、メガネを掛けている状態ではツル端はヨロイ先端に当接又は近接していることでツル２が取付け部３から外れ落ちることはない。
【００２０】
このように、本発明のツル取付け構造はヨロイ８に蝶番４を介して取付け部３を連結し、この取付け部３を板バネにて挟み込むことでツル２が取付けられる。従って、ツル２を取外して新たなツル２に交換することは可能であり、色々な装飾が施された複数本のツル２，２・・を準備しておけばその交換が手軽に出来る。別の装飾部品をツルに取付ける場合と違い、ツル自体が独自に装飾されていることでメガネフレームとしての装飾効果は大きく向上する。
【図面の簡単な説明】
【００２１】
【図１】本発明のツル取付け構造を備えたメガネフレーム。
【図２】板バネを有すツルの具体例。
【図３】板バネの具体例。
【図４】取付け部の具体例。
【図５】ツルを取付け部に取付ける場合。
【図６】取付け部を板バネにて挟み込んでツルが取付けられている状態。
【符号の説明】
【００２２】
１  フロント部
２  ツル
３  取付け部
４  蝶番
５  レンズ
６  リム
７  連結部材
８  ヨロイ
９  鼻当てパット
10  板バネ
11  係止部
12  空間
13  モダン
14  蝶片
15  挟持部
16  中央凸部
17  底面
18  切欠き空間
19  基部
【図１】
2009151134.tif 000003
【図２】
2009151134.tif 000004
【図３】
2009151134.tif 000005
【図４】
2009151134.tif 000006
【図５】
2009151134.tif 000007
【図６】
2009151134.tif 000008